(57)【要約】  げっ歯類、特にマウス及び／又はラットを捕まえて殺すためのげっ歯類捕獲装置（１）は、少なくとも上部ジョー部分（３）及び下部ジョー部分（４）を有するクランプ手段（２）を備える。上部ジョー部分（３）は下部ジョー部分（４）に対して開位置から閉位置まで旋回することができ、閉位置で上部ジョー部分（３）はげっ歯類に打撃を与えて殺す。上部ジョー部分は、ジョー回転軸（Ａジョー）の周りで少なくとも部分的に回転可能である。クランプ手段（２）を開位置から解放するためのリフティングレバー（５）が含まれる。リフティングレバー（５）は、ジョー回転軸（Ａジョー）の第１の側（ｆ）のげっ歯類によって起動可能である。力手段が、解放されるとクランプ手段（２）が開位置から閉位置に変化することを可能にする。力手段は特に少なくとも１つのばねである。リフティングレバー（５）は、ジョー回転軸（Ａジョー）の第１の側（ｆ）とは反対側のジョー回転軸（Ａジョー）の第２の側（ｓ）に配置されたリフティングレバー（５）のラッチ側（ＬＳ）にラッチ手段（７）を備える。【選択図】図１
2021533836.tif 000002
【特許請求の範囲】
【請求項１】
げっ歯類、特にマウス及び／又はラットを捕まえて殺すためのげっ歯類捕獲装置（１）であって、
少なくとも上部ジョー部分（３）及び下部ジョー部分（４）を有するクランプ手段（２）を備え、前記上部ジョー部分（３）は前記下部ジョー部分（４）に対して開位置から閉位置まで旋回することができ、前記閉位置で前記上部ジョー部分（３）はげっ歯類に打撃を与えて殺し、
前記上部ジョー部分（３）は、ジョー回転軸（Ａジョー）の周りで少なくとも部分的に回転可能であり、前記げっ歯類捕獲装置（１）は、
前記クランプ手段（２）を前記開位置から解放するためのリフティングレバー（５）であって、前記ジョー回転軸（Ａジョー）の第１の側（ｆ）のげっ歯類によって起動可能であるリフティングレバー（５）と、
解放されると前記クランプ手段（２）が前記開位置から前記閉位置に変化することを可能にする力手段（６）、特に少なくとも１つのばねとを備え、
前記リフティングレバー（５）は、前記ジョー回転軸（Ａジョー）の前記第１の側（ＦＳ）とは反対側の前記ジョー回転軸（Ａジョー）の第２の側（ＳＳ）に配置された前記リフティングレバー（５）のラッチ側（ＬＳ）にラッチ手段（７）を備える、げっ歯類捕獲装置（１）。
【請求項２】
前記リフティングレバー（５）が、上向きに、特に前記捕獲装置（１）の前記下部ジョー部分（４）から離れるように持ち上げられることによってのみ起動可能であることを特徴とする、請求項１に記載のげっ歯類捕獲装置（１）。
【請求項３】
前記リフティングレバー（５）が、特に少なくとも部分的に丸みを帯びた形状を有する、前記ラッチ側（ＬＳ）の反対側に配置されたげっ歯類収容要素（８）を備えることを特徴とする、請求項１又は２に記載のげっ歯類捕獲装置（１）。
【請求項４】
前記力手段（６）が前記閉位置において両方のジョー部分（３、４）が互いに押し付けられるように前記上部ジョー部分（３）と前記下部ジョー部分（４）に閉鎖力を及ぼし、特に、前記力手段（６）の長手方向中心線（ＣＬ）が、前記ジョー回転軸（Ａジョー）の横に配置され、好ましくは、前記ジョー回転軸（Ａジョー）の前記第１の側（ＦＳ）に配置されることを特徴とする、請求項１〜３のいずれか一項に記載のげっ歯類捕獲装置（１）。
【請求項５】
前記力手段（６）が前記開位置において前記閉位置よりも前記上部ジョー部分（３）及び前記下部ジョー部分（４）により小さい力を及ぼし、特に、実質的にゼロに近い力を及ぼし、好ましくは、前記力手段（６）の前記長手方向中心線（ＣＬ）が、前記ジョー回転軸（Ａジョー）と整列しているか、又は前記ジョー回転軸（Ａジョー）の前記第１の側（ＦＳ）にわずかに配置されていることを特徴とする、請求項１〜４のいずれか一項に記載のげっ歯類捕獲装置（１）。
【請求項６】
前記ジョー回転軸（Ａジョー）の第１の側（ｆ）の前記リフティングレバー（５）の第１の長さ（Ｌ１）が、前記ジョー回転軸（Ａジョー）の前記第２の側（ｓ）の前記リフティングレバー（５）の第２の長さ（Ｌ２）より長いことを特徴とする、請求項１〜５のいずれか一項に記載のげっ歯類捕獲装置（１）。
【請求項７】
前記上部ジョー部分（３）が、前記開位置において前記ラッチ手段（７）によってラッチされるラッチ受け入れ要素（９）を備えることを特徴とする、請求項１〜６のいずれか一項に記載のげっ歯類捕獲装置（１）。
【請求項８】
前記リフティングレバー（５）の回転長さ（Ｌ回転）が、前記ラッチ手段（７）のラッチ長さ（Ｌラッチ）よりも大きいことを特徴とする、請求項１〜７のいずれか一項に記載のげっ歯類捕獲装置（１）。
【請求項９】
餌保持要素（１０）が、前記リフティングレバー（５）の近くに、好ましくは少なくとも部分的に前記リフティングレバー（５）の下に、特に前記げっ歯類収容要素（８）の下に配置され、好ましくは、前記餌保持要素（１０）は、前記げっ歯類収容要素（８）の下から実質的に前記下部ジョー部分（４）の前部（１５）まで延びることを特徴とする、請求項１〜８のいずれか一項に記載のげっ歯類捕獲装置（１）。
【請求項１０】
前記ジョー回転軸（Ａジョー）に実質的に垂直な前記下部ジョー部分（４）の前記前部と前記げっ歯類収容要素（８）との間の距離が、マウス捕獲装置の場合、１０ｍｍ〜３０ｍｍ、好ましくは１２〜２０ｍｍ、最も好ましくは実質的に１３〜１８ｍｍの範囲であり、又はラット捕獲装置の場合、３０ｍｍ〜５０ｍｍ、好ましくは３３ｍｍ〜４５ｍｍ、最も好ましくは３８ｍｍ〜４２ｍｍの範囲であることを特徴とする、請求項９に記載のげっ歯類捕獲装置（１）。
【請求項１１】
前記餌保持要素（１０）がキャップ（１１）を含むことを特徴とする、請求項９又は１０に記載のげっ歯類捕獲装置（１）。
【請求項１２】
前記餌保持要素（１０）が前記下部ジョー部分（４）の一部であることを特徴とする、請求項８〜１０のいずれか一項に記載のげっ歯類捕獲装置（１）。
【請求項１３】
前記リフティングレバー（５）が、好ましくは前記ジョー回転軸（Ａジョー）の前記第２の側（ｓ）に配置されたレバー回転軸（Ａレバー）を備え、前記ラッチ手段（７）が、好ましくは前記レバー回転軸の上に又はわずかにその横に実質的に垂直方向に少なくとも部分的に配置されることを特徴とする、請求項１〜１２のいずれか一項に記載のげっ歯類捕獲装置（１）。
【請求項１４】
前記リフティングレバー（５）が、前記リフティングレバー（５）の前記ラッチ側（Ｌ）に実質的に二股フォーク形状の端部（１２）を備えることを特徴とする、請求項１〜１３のいずれか一項に記載のげっ歯類捕獲装置（１）。
【請求項１５】
前記下部ジョー部分（４）が、前記リフティングレバー（５）が前記下部ジョー部分（４）から解放されるのを防ぐために、前記レバーの前記フォーク形状の端部（１２）の２本の脚の間に配置されたブロック要素（１３）を備えることを特徴とする、請求項１４に記載のげっ歯類捕獲装置（１）。
【請求項１６】
前記リフティングレバー（５）が、前記レバー回転軸（Ａレバー）に配置された固定要素（１７）を備え、前記固定要素（１７）はスロット（１８）に配置され、前記スロット（１８）は、好ましくは、少なくとも１つの保持要素（１９）を備えることを特徴とする、請求項１〜１３のいずれか一項に記載のげっ歯類捕獲装置（１）。
【請求項１７】
前記リフティングレバー（５）の長さが、マウス捕獲装置の場合、３〜７ｃｍ、特に実質的に４〜６ｃｍであり、ラット捕獲装置の場合、８〜１３ｃｍ、特に実質的に９〜１１ｃｍであることを特徴とする、請求項１〜１６のいずれか一項に記載のげっ歯類捕獲装置（１）。
【請求項１８】
補充餌を含むシリンジを備える請求項１〜１７のいずれか一項に記載のげっ歯類捕獲装置（１）を補充するためのシステム。
【請求項１９】
前記げっ歯類捕獲装置（１）が前記開位置に配置され、餌が、餌、好ましくはピーナッツバターを含むシリンジを使用して、好ましくは餌保持要素（１０）に補充されることを特徴とする、請求項１〜１７のいずれか一項に記載のげっ歯類捕獲装置（１）を補充する方法。
【請求項２０】
請求項１〜１７のいずれか一項に記載のげっ歯類捕獲装置（１）を表面に配置し、前記げっ歯類捕獲装置（１）を前記開位置に置くステップを含む、げっ歯類を捕まえ、好ましくは殺す方法。
【発明の詳細な説明】
【技術分野】
【０００１】
本発明は、独立請求項によるげっ歯類捕獲装置、げっ歯類捕獲装置を補充するためのシステム、及びげっ歯類捕獲装置を補充する方法に関する。
【背景技術】
【０００２】
一般に、げっ歯類を捕まえて殺すためのげっ歯類捕獲装置は、従来技術から知られている。げっ歯類がトリガーを踏むと閉じる２つのジョーを備える、米国特許第４，９９１，３４０号に開示されている捕獲装置などの捕獲装置が存在する。これらの種類のマウス捕獲装置には、誤って閉じたり、鳥がトリガーを踏んだときに鳥を捕まえたりする可能性があるという欠点がある。
【０００３】
国際公開第２００５／０９９４５１号は、動物を殺すシャックルをトリガーするための複雑な機構を備える動物捕獲装置を開示している。このような複雑な機構は、製造するのにコストがかかり、また、捕獲装置が他の動物によって動かされたり触れられたりしたときの外部の影響に非常に敏感である。
【発明の概要】
【０００４】
したがって、本発明の目的は、従来技術の不利な点を克服するマウス捕獲装置を作り出すこと、特に、製造が容易で、使用に際して安全且つ信頼性が高く、より効果的であり、殺すことにおいて人間であるマウス捕獲装置を作り出すことである。
【０００５】
この目的は、独立請求項によるげっ歯類捕獲装置、げっ歯類捕獲装置を補充するためのシステム、及びげっ歯類捕獲装置を補充する方法によって達成される。
【０００６】
この目的は、以下の特徴を有する、げっ歯類、特にマウス及び／又はラットを捕まえて殺すためのげっ歯類捕獲装置によって特に達成される。げっ歯類捕獲装置は、少なくとも上部ジョー部分及び下部ジョー部分を有するクランプ手段を備える。上部ジョー部分は下部ジョー部分に対して開位置から閉位置まで旋回することができ、閉位置で上部ジョー部分はげっ歯類に打撃を与えて殺す。さらに、上部ジョー部分は、ジョー回転軸の周りで少なくとも部分的に回転可能である。げっ歯類捕獲装置は、クランプ手段を開位置から解放するためのリフティングレバーを備え、リフティングレバーは、ジョー回転軸の第１の側のげっ歯類によって起動可能である。げっ歯類捕獲装置は、力手段、特に少なくとも１つのばねをさらに備え、解放されたときにクランプ手段が開位置から閉位置に変化することを可能にする。リフティングレバーは、ジョー回転軸の第１の側とは反対側のジョー回転軸の第２の側に配置されたリフティングレバーのラッチ側にラッチ手段を備える。
【０００７】
このようなげっ歯類捕獲装置は、安全に使用でき、動物を殺すのに効率的で、安価に製造することができる。
【０００８】
上部ジョー部分は、開位置から閉位置に旋回することができ、好ましくは、閉位置から開位置に旋回し返すことができる。閉位置から開位置への旋回には開放力が必要であり、したがって、力手段に抗うことが必要であり、閉位置への旋回は力手段によって作動される。
【０００９】
好ましくは、リフティングレバーは、クランプ手段と直接相互作用するワンピース型レバーである。リフティングレバーとクランプ手段の間にそれ以上のレバーは配置されていない。力手段は、好ましくは、正確に１つのばねを備える。或いは、力手段は、２つ又はそれ以上など、１つより多いばねを備えることができる。好ましくは、げっ歯類捕獲装置は、金属材料であり得る力手段を除いて、完全にプラスチック材料から作られる。ばねの形態の力手段の場合、ばねは、金属又は非金属のガータースプリング、或いは金属の渦巻ばね又はゴムばね又はゴムバンドであり得る。
【００１０】
リフティングレバーは、好ましくは、上向きに、特に捕獲装置の下部ジョー部分から離れるように持ち上げられることによってのみ起動可能である。
【００１１】
このように、捕獲装置は意図的にレバーを持ち上げた場合にのみ起動可能であり、それにより、他の動物が誤ってトリガーを踏んだ場合でも、捕獲装置が起動されることはない。
【００１２】
その場合、下部ジョー部分は、好ましくは、基部床及びエッジを含む。リフティングレバーは、好ましくは、下部ジョー部分の基部プレートから離れるように持ち上がる。
【００１３】
リフティングレバーは、特に少なくとも部分的に丸みを帯びた形状を有する、ラッチ側の反対側に配置されたげっ歯類収容要素を備えることができる。
【００１４】
げっ歯類収容要素は、捕獲装置を起動するための正しい位置にげっ歯類を導く。その目的のために、げっ歯類収容要素は、げっ歯類の頭部に適合され、好ましくは少なくとも部分的に丸みを帯びた形状を有する。或いは、げっ歯類収容要素はまた、三角形又は正方形であり得る。さらに、げっ歯類収容要素は、好ましくは、げっ歯類がげっ歯類収容要素に容易に収まるように漏斗形状である。
【００１５】
力手段は、閉位置にある上部ジョー部分と下部ジョー部分に閉鎖力を及ぼして、両方のジョー部分が互いに押し付けられるようにすることができる。特に、力手段の長手方向中心線は、ジョー回転軸の横に配置され、好ましくは、ジョー回転軸の第１の側に配置される。
【００１６】
このようにして、ジョー部分が閉じているときに最も強い力がジョー部分に及ぼされる。力手段の長手方向中心線は、力手段の力の方向である。長手方向中心線は、ジョー回転軸に実質的に垂直である。力手段の長手方向中心線は、クランプ手段が開位置にあるとき、ジョー回転軸の近くに位置する。クランプ手段が閉位置にあるとき、長手方向中心線は、開位置と比較してジョー回転軸からより遠くにあり、より大きなクランプ力を提供する。
【００１７】
力手段は、閉位置よりも開位置において上部ジョー部分及び下部ジョー部分により小さい力を及ぼすことができる。力手段は、特に、閉位置と比較して、開位置において実質的にゼロに近い力を及ぼす。好ましくは、力手段の長手方向中心線は、開位置において、ジョー回転軸と整列しているか、又はジョー回転軸の第１の側にわずかに配置されている。
【００１８】
この状況においてわずかに、ジョー回転軸とジョー回転軸に垂直な長手方向中心線との間の距離が、リフティングレバーの長さの３分の１よりも小さく、好ましくはリフティングレバーの第２の長さよりも小さいことを意味する。
【００１９】
ジョー回転軸の第１の側にあるリフティングレバーの第１の長さは、ジョー回転軸の第２の側にあるリフティングレバーの第２の長さより長くすることができる。
【００２０】
このように、げっ歯類がレバーを持ち上げるのに必要な動きは、リフティングレバーの第２の側のラッチをロック解除するのに必要な距離と比較して大きい。これにより、捕獲装置のセキュリティが強化される。
【００２１】
上部ジョー部分は、ラッチ手段によって開位置においてラッチされるラッチ受け入れ要素を備えることができる。
【００２２】
このようにして、捕獲装置は開位置に簡単に固定され、リフティングレバーによって必要なときに簡単に解放される。
【００２３】
餌保持要素は、リフティングレバーの近くに、好ましくは少なくとも部分的にリフティングレバーの下に、特にげっ歯類収容要素の下に配置することができ、好ましくは、餌保持要素は、げっ歯類収容要素の下から実質的に下部ジョー部分の前部まで延びる
【００２４】
リフティングレバーの近くで餌保持要素を使用すると、げっ歯類が捕獲装置とリフティングレバーに誘引される。餌保持要素がげっ歯類収容要素の下から下部ジョー部分の実質的に前部まで延びる場合、げっ歯類は危険にさらされることなく、また捕らえられることなく餌の一部を食べることができる。このようにして、げっ歯類は用心深さを失い、げっ歯類を捕まえて即座に殺す可能性が高まる。
【００２５】
下部ジョー部分の前部は、好ましくは、下部ジョー部分の基部に配置されたエッジである。両方のジョー部分が捕獲装置のそれぞれの基底部より上に延びるエッジを有する場合、捕獲装置を閉じるとげっ歯類の首に直接当たり、それによりげっ歯類が即座に死ぬ。エッジは、丸みを帯びたエッジ又は歯付きエッジ、或いはそれらの組み合わせであり得る。
【００２６】
ジョー回転軸に実質的に垂直な下部ジョー部分の前部とげっ歯類収容要素との間の距離は、マウス捕獲装置の場合、１０ｍｍ〜３０ｍｍ好ましくは１２ｍｍ〜２０ｍｍ、最も好ましくは実質的に１３〜１８ｍｍの範囲であり得、又はラット捕獲装置の場合、３０ｍｍ〜５０ｍｍ、好ましくは３３ｍｍ〜４５ｍｍ、最も好ましくは３８〜４２ｍｍの範囲であり得る。（ここでは図１の「Ｄ」に言及している）
【００２７】
捕えるげっ歯類に依存して、これらの距離は、げっ歯類が餌によってげっ歯類収容要素に誘い込まれたときに、下部ジョー部分の前部と上部ジョー部分の前部をげっ歯類の首の領域に完全に位置づける。このようにして、げっ歯類は素早く痛みを伴わずに死ぬ。
【００２８】
餌保持要素は、キャップを含むことができる。
【００２９】
捕獲装置が使用されていない場合、キャップが餌保持要素内の餌を保護する。キャップは使用前に取り外すことができる。キャップはさらに、１つ又は複数、好ましくは２つの翼状部を備えることができ、リフティングレバーを持ち上げられた位置に保つように適合されている。これにより、ラッチが切り離されることによる捕獲装置の意図しない起動が防止される。翼状部は、キャップの領域において、キャップの少なくとも１つ、好ましくは２つの側に配置することができ、キャップが餌保持要素を覆っている間、リフティングレバー、好ましくはげっ歯類収容要素の下に配置される。餌保持要素は、下部ジョー部分の一部であり得る。
【００３０】
このようにして、餌保持要素は、下部ジョー部分又は下部ジョー部分の構造部分にさえ固定され、それによって容易に補充可能である。
【００３１】
リフティングレバーは、好ましくはジョー回転軸の第２の側に配置されるレバー回転軸を備えることができる。ラッチ手段は、好ましくはレバー回転軸の上に又はわずかにその横に実質的に垂直方向に少なくとも部分的に配置される。
【００３２】
そのような配置は、最適なレバー関係をもたらし、それにより、げっ歯類がげっ歯類収容要素の内側に存在し、レバーを持ち上げるときに、ラッチの開放及び解放を確実にする。
【００３３】
リフティングレバーは、リフティングレバーのラッチ側に実質的に二股フォーク形状の端部を備えることができる。
【００３４】
この設計により、下部ジョー部分にリフティングレバーを簡単に取り付けることができる。リフティングレバーは、二股フォーク形状の端部を一緒に押し、それにより下部ジョー部分に小さなボルトをスナップ嵌めし、それによりレバー回転軸を作ることで下部ジョー部分に固定される。
【００３５】
下部ジョー部分は、レバーが下部ジョー部分から解放されるのを防ぐために、フォーク形状の、及びリフティングレバーの２本の脚の間に配置されたブロック要素を備えることができる。
【００３６】
このようにして、レバーは下部ジョー部分に簡単に接続できるが、下部ジョー部分に取り付けた後、彼の位置に固定される。さらに、ブロック要素の使用は、リフティングレバーを固定するための非常に安価で確実な方法である。
【００３７】
リフティングレバーは、レバー回転軸に配置された固定要素を備えることができ、固定要素はスロットに配置されている。スロットは、好ましくは、少なくとも１つの保持要素を備える。
【００３８】
固定要素は、げっ歯類捕獲装置の下部ジョー部分にリフティングレバーを固定するが、それにもかかわらずスロット内で回転可能である。好ましくは、固定要素は長方形の断面を有する。リフティングレバーの長さに沿って延びる側は、リフティングレバーの長さに垂直な側より側よりも長い。保持要素は、組み立てた状態でレバーがスロットに固定されるように配置される。
【００３９】
このようにして、リフティングレバーは簡単に組み立てることができ、その位置にしっかりと固定される。
【００４０】
リフティングレバーの長さは、マウス捕獲装置の場合、３ｃｍ〜７ｃｍ、特に実質的に４ｃｍ〜６ｃｍであり、ラット捕獲装置の場合、８〜１３ｃｍ、特に実質的に９〜１１ｃｍであり得る。
【００４１】
そのようなリフティングレバーは、ラッチが解放される前にレバーを持ち上げるのに最適な距離をもたらし、また、リフティングレバーのげっ歯類収容要素と下部ジョー部分の前部又はエッジとの間の最適な距離をもたらす。げっ歯類収容要素はレバーの一部であるため、レバーの長さに含まれる。
【００４２】
リフティングレバーは、げっ歯類収容要素の前部からリフティングレバーの回転軸Ａレバーまで延びる回転長さＬ回転を備えることができる。ラッチ手段は、リフティングレバーの回転軸Ａレバーから延びる長さＬラッチを備え、ラッチ手段がラッチ受け入れ要素に引っ掛かるラッチ手段の地点。リフティングレバーの回転長さＬ回転は、リフティングレバーの小さな動きを可能にするためにラッチ長さＬラッチよりも大きい。
【００４３】
これは、捕獲装置の信頼性の高い迅速な起動のように可能にする。
【００４４】
上部ジョー部分は、げっ歯類収容要素のためのより多くのスペースを可能にするために、開口部又は屋根窓形状の要素を備えることができる。
【００４５】
これには、捕獲装置を可能な限り小さくすることができ、それにもかかわらず、げっ歯類収容要素がそれぞれのげっ歯類の完全なサイズを有することができるという利点がある。
【００４６】
本発明の目的は、補充餌を含むシリンジを備える、前述のようなげっ歯類捕獲装置を補充するためのシステムによってさらに達成される。
【００４７】
補充餌を含むシリンジは、げっ歯類捕獲装置内の餌保持要素を補充するための最適な方法である。好ましくは、使用する餌はピーナッツバターである。さらに、餌保持要素の特殊な形状により、シリンジを使用することで、誤って指を挟まれる危険を冒すことなく、餌保持要素の全長に沿ってげっ歯類収容要素の下で餌保持要素を補充することができる。
【００４８】
本発明の目的は、前述のようなげっ歯類捕獲装置を補充する方法によってさらに達成され、ここでげっ歯類捕獲装置は開位置に配置され、餌は、餌、好ましくはピーナッツバターを含むシリンジを使用して、好ましくは餌保持要素に補充される。
【００４９】
システムの利点は、方法にも同様に当てはまる。
【００５０】
本発明の目的は、前述のようなげっ歯類捕獲装置を表面上に配置し、げっ歯類捕獲装置を開位置に置くステップを含む、げっ歯類を捕まえ、好ましくは殺す方法によってさらに達成される。
【００５１】
このような方法は、げっ歯類を確実且つ迅速に捕まえて殺すため、動物に優しい、げっ歯類を捕まえて殺す方法である。
【００５２】
餌保持要素は、好ましくは、餌ホルダー長さと呼ばれるジョー回転軸に垂直な方向に沿って、餌ホルダー幅と呼ばれるジョー回転軸に平行な方向よりも長く延びる。好ましくは、餌ホルダー長さは、餌ホルダー幅よりも少なくとも３倍、より好ましくは４倍大きい。このようにして、餌保持要素は基本的にげっ歯類をげっ歯類収容要素に導く。さらに、餌保持要素は、げっ歯類収容要素の下に餌保持要素を最適に配置するために、げっ歯類収容要素の内側に丸みを帯びた角を備えることができる。
【００５３】
本発明は以下の図によってさらに記載される。それは以下を示す。
【図面の簡単な説明】
【００５４】
【図１】本発明によるげっ歯類捕獲装置の側面図である。
【図２】図１によるげっ歯類捕獲装置の長手方向断面図である。
【図３】開位置にある図１によるげっ歯類捕獲装置の斜視図である。
【図４】斜視図における本発明によるげっ歯類捕獲装置の代替実施形態である。
【図５】図４による捕獲装置の代替実施形態である。
【図６】上部ジョー部分のない本発明による捕獲装置の斜視図である。
【図７】開位置にある裏側からの本発明による捕獲装置の斜視図である。
【図８】閉位置にある裏側からの本発明による捕獲装置の斜視図である。
【図９】閉位置にある本発明による捕獲装置の斜視図である。
【図１０】図９による捕獲装置の断面図である。
【発明を実施するための形態】
【００５５】
図１は、開位置にあるげっ歯類捕獲装置１を示す。げっ歯類捕獲装置１は、クランプ手段２を備える。クランプ手段２は、上部ジョー部分３及び下部ジョー部分４を備える。開位置において、上部ジョー部分３は、下部ジョー部分４から持ち上げられる。両方のジョー部分３、４は、ジョー部分３、４の前部としてエッジを備える。げっ歯類捕獲装置１の内側に、げっ歯類が捕獲装置の内側に居るときに、上部ジョー部分３を開位置に保つラッチ手段（図示せず）を解放するリフティングレバー５が配置されている。上部ジョー部分がラッチ手段（図示せず）から解放されると、単一のガータースプリングの形態の力手段６が、上部ジョー部分３を下部ジョー部分４の方向に押し込み、その結果、両方のジョー部分の前端部が互いに移動し合う。力手段６は、ジョー回転軸Ａジョー（図３を参照）に実質的に垂直に配置された長手方向中心線ＣＬを有する。リフティングレバー５は、げっ歯類の鼻を収容するための漏斗形状の開口部を有するげっ歯類収容要素８を備える。リフティングレバー５は、ジョー回転軸Ａジョー（図３を参照）の第１の側ＦＳ上のげっ歯類によって起動可能である。ラッチ手段７は、リフティングレバー５のラッチ側ＬＳに配置され、ジョー回転軸Ａジョー（図３参照）の第２の側ＳＳに配置されている。第２の側ＳＳは、ジョー回転軸の第１の側ＦＳの反対側に配置されている。げっ歯類収容要素８と下部ジョー部分４の前側との間の距離Ｄは、マウス捕獲装置については実質的に１５ｍｍであり、ラット捕獲装置については実質的に４０ｍｍである。ガータースプリングである力手段６は別にして、げっ歯類捕獲装置は、げっ歯類捕獲装置内に力手段６を収容するためにプラスチック材料から作られ、上部ジョー部分３及び下部ジョー部分４は、ばね溝を備える。ばね溝は、力手段６の力が最適に分散されるように配置されている。
【００５６】
図２は、図１によるげっ歯類捕獲装置の長手方向断面図である。この断面図では、図１にすでに示されている特徴に加えて、ラッチ手段７及び餌保持要素１０が見える。ラッチ手段７は、上部ジョー部分３のラッチ受け入れ要素９と係合する。漏斗形状のげっ歯類収容要素８がさらに示されている。餌保持要素１０は、漏斗形状の要素８の下に部分的に配置され、漏斗形状のげっ歯類収容要素８を越えて延在して、げっ歯類を捕獲装置に誘い込む。力手段６は、上部ジョー部分３と下部ジョー部分４の２つの力手段スロットにそれぞれ配置されている。捕獲装置１を開いて上部ジョー部分３を開位置に置くために、ユーザは、起動レバー１４を下部ジョー部分４の方向に押し下げる必要がある。次に、上部ジョー部分３は、ジョー回転軸Ａジョー（図３を参照）の周りを開位置へと旋回する。ラッチ手段７が解放されると、上部ジョー部分３は、ジョー回転軸Ａジョーの周りを旋回し閉位置に戻る。リフティングレバー５は、げっ歯類収容要素８の前部からリフティングレバー５の回転軸Ａレバーまで延びる回転長さＬ回転を備える。ラッチ手段７は、リフティングレバー５の回転軸Ａレバーから延びる長さＬラッチを備え、ラッチ手段７の地点、そこでラッチ手段に対してラッチ受け入れ要素９に引っ掛かる。リフティングレバー５の回転長さＬ回転は、リフティングレバー５の小さな動きを可能にするためにラッチ長さＬラッチよりも大きい。
【００５７】
図３は、開位置にある本発明によるげっ歯類捕獲装置１の斜視図を示す。上部ジョー部分３はジョー回転軸Ａジョーの周りを開位置から閉位置に旋回し、逆もまた同様である。げっ歯類捕獲装置１を起動するために、ユーザは起動レバー１４を押し下げる必要がある。ジョー回転軸Ａジョーとげっ歯類収容要素８の前部との間のレバーの長さであるリフティングレバー５のＬ１の第１の長さは、ジョー回転軸Ａジョーとリフティングレバー５の二股フォーク形状の端部１２の端部（図６参照）との間に配置されたリフティングレバー５の第２の長さＬ２（図６参照）よりも大きい。二股フォーク形状の端部１２の２本の脚及びブロック要素１３によって互いに離れた状態に保たれる。
【００５８】
図４は、開位置にある図３のげっ歯類捕獲装置１の代替実施形態を示す。この実施形態では、餌保持要素１０は、餌を新鮮に保つためにキャップ１１で覆われている。キャップ１１は、下部ジョー部分４を越えて延在し、キャップ１１を容易に取り外すためのハンドルを備えている。これにより、捕獲装置１が閉じた状態でも、餌がまだカバーで覆われていることがユーザに見える。さらに、この斜視図では、リフティングレバー５の二股フォーク形状の端部１２が見える。二股フォーク形状の端部１２の２本の脚の間にブロック要素１３が配置され、それにより、リフティングレバー５が下部ジョー部分４に配置されるとすぐに脚を離れた状態に維持するようにする。さらに、この図では、上部ジョー部分のラッチ受け入れ要素９が見える。すべての特徴はこれよりも前の図に対応している。
【００５９】
図５は、ハンドルのないキャップ１１の代替の実施形態を示している。それでもなお、キャップ１１は、下部ジョー部分４の前部１５を越えて延びる。これにより、捕獲装置１が閉じた状態でも、餌がまだカバーで覆われていることがユーザに見える。さらに、この斜視図では、リフティングレバー５の二股フォーク形状の端部１２が見える。フォークの２本の脚の間に、ブロック要素１３が配置され、それにより、リフティングレバー５それが下部ジョー部分４に配置したらすぐに脚を離れた状態に維持するようにする。キャップが餌保持要素上にある場合にリフティング要素を持ち上げ位置に維持するように翼状部１６がキャップ１１に設けられる。
【００６０】
図６は、げっ歯類捕獲装置１の斜視図を示すが、上部ジョー部分３を示さない。リフティングレバー５の第１の長さＬ１は、リフティングレバー５の第２の長さＬ２よりも大きい。レバー回転軸Ａレバーはジョー回転軸Ａジョーと平行に配置される。ラッチ手段７は、げっ歯類収容要素８でリフティングレバー５を動かす必要がある距離が、捕獲装置を起動させるためにラッチ手段７が動く必要がある距離よりも大きくなるように、レバー回転軸Ａレバーの近くに配置される。
【００６１】
図７は、本発明による捕獲装置１の背面図を示している。上部ジョー部分３のラッチ受け入れ要素９がはっきりと見える。他のすべての特徴はこれよりも前の図に対応している。
【００６２】
図８は、閉位置にある捕獲装置１の背面図を示す。ラッチ手段７は、ラッチ受け入れ要素９に接続されていない。さらに、リフティングレバー５の二股フォーク形状の端部１２がはっきりと見える。他のすべての特徴はこれよりも前の図に対応している。
【００６３】
図９は図１の捕獲装置の代替の実施形態を示し、リフティングレバー５の設計及び上部ジョー部分３の設計において図１の実施形態とは異なる。上部ジョー部分３は、屋根窓形状の要素２０を備える。屋根窓形状の要素２０は、より大きなげっ歯類収容要素８を可能にするが、捕獲装置１は依然として可能な限り小さくすることができる。リフティングレバー５は、レバー回転軸Ａレバーに配置された固定要素１７を備える。固定要素１７は、スロット１８内に配置されている。スロット１８は、２つの保持要素１９を備える。固定要素１７は、長方形の形状を有する（図１０を参照）。図９に示されるような取り付け位置では、固定要素１７は、２つの保持要素１９によってスロット１８内に保持される。それにもかかわらず、リフティングレバー５は、レバー回転軸Ａレバーを中心に回転することができる。
【００６４】
図１０は、リフティングレバー５と下部ジョー部分４の断面を示している。固定要素１７は長方形であり、長方形の長辺はレバーの長さに平行である。長方形の短辺はレバーの長さに垂直である。捕獲装置１を組み立てるとき、リフティングレバー５は、下部ジョー部分４に実質的に垂直な位置に移動され、固定要素１７は、スロット１８に挿入される。次に、リフティングレバー５は、下部ジョー４のマウテッド位置に移動され、その結果、固定要素１７は保持要素１９によってスロット１８に固定される。かくして、リフティングレバー５はスロット１８に固定される。
【図１】
2021533836.tif 000003
【図２】
2021533836.tif 000004
【図３】
2021533836.tif 000005
【図４】
2021533836.tif 000006
【図５】
2021533836.tif 000007
【図６】
2021533836.tif 000008
【図７】
2021533836.tif 000009
【図８】
2021533836.tif 000010
【図９】
2021533836.tif 000011
【図１０】
2021533836.tif 000012
【国際調査報告】
2021533836.tif 000013
2021533836.tif 000014